(57)【要約】 【課題】  気水分離器で分離しきれなかった水が、気水分離器と真空ポンプとをつなぐ吸気管に流入したときにおいて、真空ポンプの過負荷を低減する。【解決手段】  吸引管１１２の途中部における真空ポンプ１１１の近傍位置に、吸気管１１２に水が流入したときにおいて、空気と水の流通量を、水に比して空気の量を多くする流量制御弁２を設置する。該流量制御弁２は、吸気管に流入する空気が通過する、シリンダ部とカバー部とからなる本体部と、該本体部におけるシリンダ部内で移動自在に設けられた、水の圧力により前進する第１ピストン部及び該第１ピストン部の移動によって加圧されて前進する第２ピストン部と、該第１ピストン部と第２ピストン部を夫々後退移動方向に付勢するコイルバネとによって構成する。【選択図】  図１
2019146885.tif 000002
【特許請求の範囲】
【請求項１】
予作動式流水検知装置と該予作動式流水検知装置の一次側に設けられ、基端側に給水手段が接続される一次側配管と、
該予作動式流水検知装置の二次側に設けられ、スプリンクラーヘッドが接続された二次側配管と、該二次側配管を負圧とする真空ポンプと該二次側配管と真空ポンプを接続する吸気管と、
を備えた負圧湿式予作動式スプリンクラー設備において、
前記真空ポンプに接続される前記吸気管の真空ポンプの近傍に流量制御弁を設置することを特徴とする負圧湿式予作動式スプリンクラー設備。
【請求項２】
前記流量制御弁は、
前記吸気管に水が流れ込んだ場合、流れ込んだ水の圧力が所定の水圧を超えたとき、前記水圧により前記吸気管を自動的に閉止する機構を有し、且つ、前記閉止する機構と連動して、前記吸気管に前記吸気管外部の空気を取り入れる弁を開放する機構を有する請求項１記載の負圧湿式予作動式スプリンクラー設備。
【請求項３】
前記流量制御弁は、
シリンダ部とカバー部とからなる本体部と、該本体部におけるシリンダ部内で移動自在に設けられた、水の圧力により前進する第１ピストン部及び該第１ピストン部の前進移動によって加圧されて前進する第２ピストン部と、前記第１ピストン部と前記第２ピストン部を夫々後退移動方向に付勢するコイルバネとによって構成される流量制御弁を有する請求項１及び２記載の負圧湿式予作動式スプリンクラー設備。
【請求項４】
前記第１ピストン部が所定の水圧による前進移動により、前記吸気管内の水が閉止されることを特徴とする流量制御弁を有する請求項１、２及び３記載の負圧湿式予作動式スプリンクラー設備。
【請求項５】
前記第１ピストン部の前進移動によって加圧されて前進する第２ピストン部の前進移動により、前記吸気管に前記吸気管外部の空気を取り入れる流量制御弁を有する請求項４記載の負圧湿式予作動式スプリンクラー設備。
【請求項６】
前記本体部は、中心線を同じくして連設された第１シリンダ部と第２シリンダ部とからなるシリンダ部と、該シリンダ部における第１シリンダ部の一端側に装着されるカバー部とからなり、前記シリンダ部における第１シリンダ部は、その両端部が開放された円筒状をなし、前記シリンダ部における第２シリンダ部は、第１シリンダ部と反対側の端部が閉塞された円筒状をなし、閉塞部分の中心部に流出口を設けると共に、もう一方の開放側の端部近傍に、前記第１シリンダ部の内径より小径で且つ後記第１ピストン部の外径と等しい径の開口を有する壁部を設け、
更に後記第２ピストン部の後退位置に対応する部分に、内外方向に貫通する空気流入口を設けてなり、前記カバー部は、一端部が閉塞された円筒状をなし、閉塞部分の中心部に前記流出口と同径の流入口を設けてなり、
前記第１シリンダ部内に移動自在に配設される第１ピストン部は、一端部が閉塞された円筒状をなし、他端部に外径が前記第１シリンダ部の内径と等しいフランジ部を形成し、円筒状部分に前記第２シリンダ部の流出口より小さい開口を設けると共に、閉塞部分の中心部に前記円筒状部分の開口より小さい開口を設け、流入する水の圧力によって前記コイルバネの付勢力に抗して最前進位置まで移動することによりその閉塞部分が前記第２シリンダ部の開口内に進入するようになされ、
前記第２シリンダ部内に移動自在に配設される第２ピストン部は、両端部が開放された円筒状をなし、一端部に外径が前記第２シリンダ部の内径と等しいフランジ部を形成し、更に一端部に、後退位置において前記第２シリンダ部の開口内に挿入される突出部を設けると共に、該突出部に内外方向に貫通する空気流入口を設け、前記第１ピストン部の移動によって加圧されて前進移動し、その突出部に設けた空気流入口が前記第２シリンダ部の開口外に移動すると共に、そのフランジ部が前記第２シリンダ部の空気流入口を開放するようになされた流量制御弁を有する請求項１、２、３、４及び５記載の負圧湿式予作動式スプリンクラー設備。
【発明の詳細な説明】
【技術分野】
【０００１】
本発明は、二次側配管内に水が充填され且つ火災発生時以外においては負圧状態とすると共に、気水分離器で分離しきれなかった水が、気水分離器と真空ポンプとをつなぐ吸気管に流入したときにおいて、真空ポンプの過負荷を低減することができるようになした負圧湿式予作動式スプリンクラー設備に関するものである。
【背景技術】
【０００２】
従来における消火設備として、スプリンクラーヘッドの破損等が生じた場合に漏水を防止し、且つ火災発生時に速やかに放水する機能を有する、二次側配管内に水が充填され且つ火災発生時以外においては負圧状態とする負圧湿式予作動式スプリンクラー設備がある。
【０００３】
図４は斯かる負圧湿式予作動式スプリンクラー設備の概略構成図である。該図において１００は負圧湿式予作動式プリンクラー設備である。
【０００４】
１０１は消火水槽１０２から送水ポンプ１０３を介して立ち上がって配管された一次側配管である。１０４は各階において前記一次側配管１０１に接続され、スプリンクラーヘッド１０５まで配管された二次側配管である。
【０００５】
１０６は前記一次側配管１０１と二次側配管１０４との間に設置され、火災発生時以外では閉状態が維持される予作動式流水検知装置である。１０７は各階の天井部に設置された、火災を感知して火災信号を送出する火災感知器である。
【０００６】
１０８は前記二次側配管１０４に一端側１０８Ａを接続すると共に、他端側１０８Ｂを、下端が前記消火水槽１０２まで垂下した排水管１０９に接続した吸引管である。尚、前記排水管１０９には、その下端部に排水ポンプ１０９Ａと逆止弁１０９Ｂが設置されている。
【０００７】
１１０は前記排水管１０９の最上階における上端部に下部を接続した気水分離器である。１１１は真空ポンプ、１１２は一端側を前記気水分離器１１０の上部に接続すると共に他端側を前記真空ポンプ１１１に接続した吸気管である。
【０００８】
１１３は前記吸引管１０８の途中部に設置された、前記二次側配管１０４内の負圧の状態の正常時には少量の、異常時には多量の流通量とするオリフィス自動弁である。また、１１４は前記吸引管１０８の途中部における前記オリフィス自動弁１１３より二次側配管１０４側の位置に設置された二次側配管１０４内の圧力を検出する真空スイッチである。
【０００９】
１１５は火災発生時に前記火災感知器１０７からの火災信号を受信し、後記制御盤に該信号を送信する信号受信盤である。
【００１０】
１１６は各階に配置され、前記信号受信盤１１５からの信号を受信し、前記予作動式流水検知装置１０６を開状態として前記一次側配管１０１と二次側配管１０４とを連通状態とする制御盤である。また、送水ポンプ１０３は、例えば、一次側配管１０１の図示しない減圧センサが減圧を検出すると起動される。
【００１１】
そして、火災発生時以外のときには一次側配管１０１と二次側配管１０４のいずれにも水が充填されており、且つ二次側配管１０４内を、吸引管１０８及び吸気管１１２を介して真空ポンプ１１１で負圧状態とするものである。
【００１２】
また、火災発生時には、火災発生部付近の火災感知器１０７が火災を感知して火災信号を信号受信盤１１５に送信し、そして該信号受信盤１１５から該信号を制御盤１１６に送信する。該信号を受信した制御盤１１６は予作動式流水検知装置１０６を開状態とする。火災による熱で開放されたスプリンクラーヘッドより二次側配管１０４内圧力が減じ、送水ポンプが起動され、これにより、二次側配管は加圧状態となり、前記開放されたスプリンクラーヘッドより放水が開始される。尚、斯かる際には、オリフィス自動弁１１３は正常時の状態であって、真空ポンプ１１１の作動は停止される。
【００１３】
上記の通り、火災発生時以外のときにおける二次側配管１０４の温度変化による体積膨張や流量制御管等からの微少な空気流入等による緩慢な圧力上昇（正常時）については、前記オリフィス自動弁１１３のオリフィス（小孔）を経由して少量の流通量での吸引を行い、そしてこれにより通電して弁体を開くことなく二次側配管１０４内の圧力を適正に保持することができる。
【００１４】
また一方、スプリンクラーヘッド等が破損して二次側配管１０４内の圧力が急速に上昇（異常時）したときには、吸引管１０８に設置された真空スイッチ１１４によってこれが検知され、オリフィス自動弁１１３は通電されてその弁体が開き、開放された本来の流路を経て多量の流通量での吸引が行われる。そして、これにより漏水は防止されるものである。
【００１５】
ところで、斯かる負圧湿式予作動式スプリンクラー設備１００における真空ポンプ１１１は、空気を吸引するための機器であるが、空気と共に多量の水を吸引した場合には、過負荷により定格以上の電流（過電流）が流れ、真空ポンプ１１１が焼損する虞がある。
【００１６】
そして、このような事態を避けるために、吸気管１１２の空気流入側の端部に気水分離器１１０が設置され、空気と水を分離するようになされているが、多量の水が流入すると分離しきれない場合がある。そして、この場合には真空ポンプ１１１に水が流入し、過負荷により過電流となる虞がある。
【００１７】
また、このような場合に備えて従来においては、図５に示す如き機構（図４には不図示。）が設けられている。図５において１１７は真空ポンプ１１１の電流を監視するための専用真空ポンプ制御盤、１１８は制御回路、１１９は電流変換器、１２０は電流監視リレー、１２１は開閉器、１２２は電磁弁、１２３は真空スイッチである。
【００１８】
該機構にあっては、真空ポンプ１１１が多量の水を吸引して過負荷になった後において負荷低減動作が作動するものであり、その動作は、先ず吸気管１１２内に多量の水が流入し、真空ポンプ１１１がこれを吸引すると、該真空ポンプ１１１に過負荷による過電流が発生する。すると専用真空ポンプ制御盤１１７における電流変換器１１９が過電流を検出し、電流監視リレー１２０が作動する。そして、これに伴い制御回路１１８が作動し、電磁弁１２２を開方向に作動させる。これにより真空ポンプ１１１より上流側において吸気管１１２内に空気が流入し、もって吸引流量における水の割合が低減され、該真空ポンプ１１１の過負荷が低減されるものである。
【発明の概要】
【発明が解決しようとする課題】
【００１９】
しかし、斯かる従来の機構は、真空ポンプ１１１の電流を監視して電磁弁１２２を制御するものであるから、制御回路１１８、電流変換器１１９、電流監視リレー１２０、開閉器１２１等を含む専用真空ポンプ制御盤１１７と電磁弁１２２とからなる多数の電子部品が必要であり、コストが高くつくという問題点があった。
【００２０】
本発明は上記の点に鑑みなされたものであって、電気的機構によらずに真空ポンプの過負荷を低減することができるようになし、もって従来の制御回路、電流変換器、電流監視リレー、開閉器等を含む専用真空ポンプ制御盤と電磁弁とからなる多数の電子部品を不要としてコストの軽減を図ることができると共に、真空ポンプの制御に、外部のスイッチのＯＮ／ＯＦＦで運転／停止する汎用のポンプ制御盤を採用することができることから、その分のコストの軽減を図ることもできるようになした構成の負圧湿式予作動式スプリンクラー設備を提供しようとするものである。
【課題を解決するための手段】
【００２１】
而して、本発明の要旨とするところは、予作動式流水検知装置と該予作動式流水検知装置の一次側に設けられ、基端側に給水手段が接続される一次側配管と、該予作動式流水検知装置の二次側に設けられ、スプリンクラーヘッドが接続された二次側配管と、該二次側配管を負圧とする真空ポンプと該二次側配管と真空ポンプを接続する吸気管とを備えた負圧湿式予作動式スプリンクラー設備において、前記真空ポンプに接続される前記吸気管の真空ポンプの近傍に流量制御弁を設置することを特徴とする負圧湿式予作動式スプリンクラー設備にある。
【００２２】
更に詳細には、消火水槽から一次側配管の減圧センサが減圧を検出すると起動する送水ポンプを介して上方に立ち上がって配管された一次側配管と、各階において前記一次側配管に接続され、スプリンクラーヘッドまで配管された二次側配管と、前記一次側配管と前記二次側配管との間に設置され、火災各階の天井部に前記二次側配管に一端側を接続すると共に、他端側を、前記排水管の最上階における上端部に下部を接続した気水分離器と、前記二次側配管内の空気を吸引する真空ポンプと、一端側を前記気水分離器の上部に接続すると共に他端側を前記真空ポンプに接続した吸気管と、前記吸引管の途中部に設置された、前記二次側配管内の負圧の状態の正常時には少量の、異常時には多量の流通量とするオリフィス自動弁と、前記吸引管の途中部における前記オリフィス自動弁より前記二次側配管側の位置に設置された、前記二次側配管内の圧力を検出する真空スイッチと、火災発生時に前記火災感知器からの火災信号を受信し、後記制御盤に該信号を送信する信号受信盤と、前記信号受信盤からの信号を受信し、前記予作動式流水検知装置を開状態として前記一次側配管と前記二次側配管とを連通状態とする制御盤とからなる負圧湿式予作動式スプリンクラー設備において、前記吸気管の途中部における前記真空ポンプ近傍の位置に、吸気管に水が流入したときにおいて、空気と水の流通量を、水に比して空気の量を多くする、吸気管に流入する空気が通過する、シリンダ部とカバー部とからなる本体部と、該本体部におけるシリンダ部内で移動自在に設けられた、水の圧力により前進する第１ピストン部及び該第１ピストン部の移動によって加圧されて前進する第２ピストン部と、該第１ピストン部と第２ピストン部を夫々後退移動方向に付勢するコイルバネとによって構成される流量制御弁を設置することを特徴とする負圧湿式予作動式スプリンクラー設備にある。
【００２３】
また、上記構成において、前記流量制御弁は、前記吸気管に水が流れ込んだ場合、流れ込んだ水の圧力が所定の水圧を超えたとき、前記水圧により前記吸気管を自動的に閉止する機構を有し、且つ、前記閉止する機構と連動して、前記吸気管に前記吸気管外部の空気を取り入れる弁を開放する機構を有する構成となしてもよい。
【００２４】
また、上記構成において、前記流量制御弁は、シリンダ部とカバー部とからなる本体部と、該本体部におけるシリンダ部内で移動自在に設けられた、水の圧力により前進する第１ピストン部及び該第１ピストン部の前進移動によって加圧されて前進する第２ピストン部と、前記第１ピストン部と前記第２ピストン部を夫々後退移動方向に付勢するコイルバネとによって構成してなる流量制御弁となしてもよい。
【００２５】
また、上記構成において、前記第１ピストン部の前進移動によって加圧されて前進する第２ピストン部の前進移動により、前記吸気管に前記吸気管外部の空気を取り入れる流量制御弁を有する構成となしてもよい。
【００２６】
また、上記構成において、前記本体部は、中心線を同じくして連設された第１シリンダ部と第２シリンダ部とからなるシリンダ部と、該シリンダ部における第１シリンダ部の一端側に装着されるカバー部とからなり、前記シリンダ部における第１シリンダ部は、その両端部が開放された円筒状をなし、前記シリンダ部における第２シリンダ部は、第１シリンダ部と反対側の端部が閉塞された円筒状をなし、閉塞部分の中心部に流出口を設けると共に、もう一方の開放側の端部近傍に、前記第１シリンダ部の内径より小径で且つ後記第１ピストン部の外径と等しい径の開口を有する壁部を設け、更に後記第２ピストン部の後退位置に対応する部分に、内外方向に貫通する空気流入口を設けてなり、前記カバー部は、一端部が閉塞された円筒状をなし、閉塞部分の中心部に前記流出口と同径の流入口を設けてなり、前記第１シリンダ部内に移動自在に配設される第１ピストン部は、一端部が閉塞された円筒状をなし、他端部に外径が前記第１シリンダ部の内径と等しいフランジ部を形成し、円筒状部分に前記第２シリンダ部の流出口より小さい開口を設けると共に、閉塞部分の中心部に前記円筒状部分の開口より小さい開口を設け、流入する水の圧力によって前記コイルバネの付勢力に抗して最前進位置まで移動することによりその閉塞部分が前記第２シリンダ部の開口内に進入するようになされ、前記第２シリンダ部内に移動自在に配設される第２ピストン部は、両端部が開放された円筒状をなし、一端部に外径が前記第２シリンダ部の内径と等しいフランジ部を形成し、更に一端部に、後退位置において前記第２シリンダ部の開口内に挿入される突出部を設けると共に、該突出部に内外方向に貫通する空気流入口を設け、前記第１ピストン部の移動によって加圧されて前進移動し、その突出部に設けた空気流入口が前記第２シリンダ部の開口外に移動すると共に、そのフランジ部が前記第２シリンダ部の空気流入口を開放するようになされた流量制御弁を有する構成となしてもよい。
【発明の効果】
【００２７】
本発明は上記の如き構成であり、吸気管の途中部における真空ポンプ近傍の位置に、吸気管に水が流入したときにおいて、空気と水の流通量を、水に比して空気の量を多くする、吸気管に流入する空気が通過する、シリンダ部とカバー部とからなる本体部と、該本体部におけるシリンダ部内で移動自在に設けられた、水の圧力により前進する第１ピストン部及び該第１ピストン部の移動によって加圧されて前進する第２ピストン部と、該第１ピストン部と第２ピストン部を夫々後退移動方向に付勢するコイルバネとによって構成される流量制御弁を設置してなるものである。そして、斯かる流量制御弁は、電気を使用することなく真空ポンプの過負荷を低減することができるものである。したがって、従来の制御回路、電流変換器、電流監視リレー、開閉器等を含む専用真空ポンプ制御盤と電磁弁とからなる多数の電子部品を不要としてコストの軽減を図ることができると共に、真空ポンプの制御に、外部のスイッチのＯＮ／ＯＦＦで運転／停止する汎用のポンプ制御盤を採用することができることから、その分のコストの軽減を図ることもできるようになるものである。
【図面の簡単な説明】
【００２８】
【図１】本発明の実施形態に係る負圧湿式予作動式スプリンクラー設備の概略構成図である。
【図２】同真空ポンプの水の流入による過負荷を低減する機構の説明図ある。
【図３】同流量制御弁の縦断面図であり、（ａ）は吸気管に水が流入しない状態を示し、（ｂ）は水が流入した状態を示すものである。
【図４】従来の負圧湿式予作動式スプリンクラー設備の概略構成図である。
【図５】従来の真空ポンプの水の流入による過負荷を低減する機構の説明図である。
【発明を実施するための形態】
【００２９】
以下、本発明を実施するための形態について、図面を参照して説明する。
【００３０】
図中、１は本発明の実施形態に係る負圧湿式予作動式スプリンクラー設備である。尚、該負圧湿式予作動式スプリンクラー設備１は、その基本的な構成においては前記図４に示した従来の負圧湿式予作動式スプリンクラー設備と同様であるから、同一の部材には同一の符号を付して説明する。
【００３１】
而して、該負圧湿式予作動式スプリンクラー設備１は、消火水槽１０２から一次側配管の減圧センサが減圧を検出すると起動する送水ポンプ１０３を介して上方に立ち上がって配管された一次側配管１０１と、各階において前記一次側配管１０１に接続され、スプリンクラーヘッド１０５まで配管された二次側配管１０４と、  前記一次側配管１０１と前記二次側配管１０４との間に設置され、火災発生時以外では閉状態が維持される予作動式流水検知装置１０６と、各階の天井部に設置され、火災を感知して火災信号を送出する火災感知器１０７と、前記二次側配管１０４に一端側を接続すると共に、他端側を、下端が前記消火水槽１０２まで垂下した排水管１０９に接続した吸引管１０８と、前記排水管１０９の最上階における上端部に下部を接続した気水分離器１１０と、前記二次側配管１０４内の空気を吸引する真空ポンプ１１１と、  一端側を前記気水分離器１１０の上部に接続すると共に他端側を前記真空ポンプ１１１に接続した吸気管１１２と、前記吸引管１０８の途中部に設置された、前記二次側配管１０４内の負圧の状態の正常時には少量の、異常時には多量の流通量とするオリフィス自動弁１１３と、前記吸引管１０８の途中部における前記オリフィス自動弁１１３より前記二次側配管１０４側の位置に設置された、前記二次側配管１０４内の圧力を検出する真空スイッチ１１４と、火災発生時に前記火災感知器１０７からの火災信号を受信し、後記制御盤に該信号を送信する信号受信盤１１５と、前記信号受信盤１１５からの信号を受信し、前記予作動式流水検知装置１０６を開状態として前記一次側配管１０１と前記二次側配管１０４とを連通状態とする制御盤１１６とからなる負圧湿式予作動式スプリンクラー設備において、前記吸気管１１２の途中部における前記真空ポンプ１１１近傍の位置に、吸気管１１２に水が流入したときにおいて、空気と水の流通量を、水に比して空気の量を多くする、吸気管１１２に流入する空気が通過する、シリンダ部とカバー部とからなる本体部と、該本体部におけるシリンダ部内で移動自在に設けられた、水の圧力により前進する第１ピストン部及び該第１ピストン部の移動によって加圧されて前進する第２ピストン部と、該第１ピストン部と第２ピストン部を夫々後退移動方向に付勢するコイルバネとによって構成される流量制御弁２を設置してなるものである。
【００３２】
また、前記流量制御弁２は、図２及び図３に示す如く、気水分離器１１０から吸気管１１２に流入する空気が通過する、後記シリンダ部とカバー部とからなる本体部３と、該本体部３におけるシリンダ部内で移動自在に設けられた、水の圧力により前進する後記第１ピストン部及び該第１ピストン部の移動によって加圧されて前進する後記第２ピストン部と、該第１ピストン部と第２ピストン部を夫々後退移動方向に付勢する後記コイルバネとによって構成される。
【００３３】
また、前記本体部３は、中心線を同じくして連設された第１シリンダ部４Ａと第２シリンダ部４Ｂとからなるシリンダ部４と、該シリンダ４における第１シリンダ部４Ａの一端側に装着される後記カバー部とからなる。
【００３４】
また、前記シリンダ部４における第１シリンダ部４Ａは、その両端部(図３における両端部)が開放された円筒状に形成されている。
【００３５】
また、前記シリンダ部４における第２シリンダ部４Ｂは、その一端部（図３における右端部、即ち前記第１シリンダ部４Ａと反対側の端部）が閉塞された円筒状に形成されており、閉塞部分４Ｂ′の中心部には流出口５を設けていると共に、もう一方の開放側の端部近傍(図３における左側の端部近傍、即ち前記第１シリンダ部４Ａ側の端部近傍)には、中心部に、前記第１シリンダ部４Ａの内径より小径で且つ後記第１ピストン部の外径と等しい径の開口６を有する壁部７を設け、更に後記第２ピストン部の後退位置に対応する部分に、内外方向に貫通する空気流入口８を設けている。
【００３６】
また、前記第１シリンダ部４Ａと第２シリンダ部４Ｂとは、前記第２シリンダ部４Ｂの前記第１シリンダ部４Ａとの接合側の端部の外周面に雄ネジ９を刻設する一方、これに対応して内周面に雌ネジ１０を刻設した第１シリンダ部４Ａを螺合して連設するものである。
【００３７】
また、前記第１シリンダ部４Ａと第２シリンダ部４Ｂとの接合端面にはОリング１１が介装され、これらの間の水密性が保たれている。
【００３８】
また、前記シリンダ部４における第１シリンダ部４Ａの一端側に装着されるカバー部１２は、一端部（図２における左端部）が閉塞された円筒状に形成されており、閉塞部分１２′の中心部には、前記流出口５と同径の流入口１３を設けている。
【００３９】
また、前記カバー部１２は、前記シリンダ部４における第１シリンダ部４Ａの他端側の外周面に刻設した雄ネジ１４に螺合する雌ネジ１５を内周面に刻設し、両者を螺合することによって装着している。
【００４０】
また、前記シリンダ部４における第１シリンダ部４Ａの他端側の端面と前記カバー部１２の閉塞部分１２′との間にはОリング１６が介装され、第１シリンダ部４Ａとカバー部１２との間の水密性が保たれている。
【００４１】
また、前記第１シリンダ部４Ａの内部において互いに中心線が同一軸上になるように配設され、中心線方向に沿って進退移動自在に配設された第１ピストン部１７は、前記カバー部１２の流入口１３から流入する水の圧力により前進移動するものである。また、該第１ピストン部１７は円筒状であって、一端部（図３における右端部）が閉塞１７′されており、他端部（図３における左端部）にはフランジ部１８が形成されている。
【００４２】
該フランジ部１８は、その外径が第１シリンダ部４Ａの内径と等しく設定され、該フランジ部１８の外周面が第１シリンダ部４Ａの内周面に沿って移動することで、第１ピストン部１７の中心線方向に沿った進退移動をガイドしている。
【００４３】
また、前記第１ピストン部１７の円筒状部分には、前記第２シリンダ部４Ｂの流出口５より小さい開口１９が設けられると共に、閉塞部分１７′の中心部には、前記円筒状部分の開口１９より小さい開口（オリフィス）２０が設けられている。
【００４４】
また、前記第２シリンダ部４Ｂの内部において互いに中心線が同一軸上になるように配設され、中心線方向に沿って進退移動自在に配設された第２ピストン部２１は、前記第１ピストン部４Ａの移動によって加圧されて前進移動するものである。また、該第２ピストン部２１は両端部が開放された円筒状であって、一端部（図３における左端部）に、後退位置において前記第２シリンダ部４Ｂの開口６内に挿入される突出部２２を設けると共に、該突出部２２に内外方向に貫通する空気流入口２３を設けている。
【００４５】
また、該第２ピストン部２１は、一端部（図３における左端部）にはフランジ部２４が形成されており、該フランジ部２４は、その外径が前記第２シリンダ部４Ｂの内径と等しく設定され、該フランジ部２４の外周面が第２シリンダ部４Ｂの内周面に沿って移動することで、第２ピストン部２１の中心線に沿った進退移動をガイドしている。
【００４６】
また、２５は前記第１シリンダ部４Ａ内において、第１ピストン部１７を挿入させた状態でそのフランジ部１８に当接し、該第１ピストン部１７をカバー部１２の流入口１３側に押圧付勢しているコイルバネである。これにより、前記第１ピストン部１７は、カバー部１２の流入口１３から水が流入し、その圧力が該コイルバネ２５の付勢力を超えている状態で前進移動が行われることになる。
【００４７】
また、２６は前記第２シリンダ部４Ｂ内において、第２ピストン２１を挿入させた状態でそのフランジ部２４に当接し、該第２ピストン部２１を第１ピストン部１７側に押圧付勢しているコイルバネである。これにより、前記第２ピストン部２１は、第１ピストン部１７の前進移動による圧力が該コイルバネ２６の付勢力を超えている状態で前進移動が行われることになる。
【００４８】
また、図２において、２７は前記真空ポンプ１１１を制御する汎用ポンプ制御盤であり、２８は該汎用ポンプ制御盤２７における制御基板、２９は開閉器である。また、３０は真空スイッチである。
【００４９】
次に、本実施形態の作用について説明する。
吸気管１１２の途中部における真空ポンプ１１１の近傍の位置に設置した流量制御弁２は、次の如く作用する。図３（ａ）に示した吸気管１１２内に水が流入しない状態、即ち、通常時においては、本体部３におけるカバー部１２の流入口１３から流入した空気は、第１シリンダ部４Ａ内の第１ピストン部１７に設けた開口１９と開口（オリフィス）２０を通って該第１ピストン部１７と第１シリンダ部４Ａ及び第２シリンダ部４Ｂとの間の空間に流通し、そして更に第２ピストン部２１を経て第２シリンダ部４Ｂの流出口５から流出する。したがって、真空ポンプ１１１には水の吸引による負荷がかからない。
【００５０】
また、図３（ｂ）に示した吸気管１１２内に水が流入した状態、即ち、異常時においては、本体部３におけるカバー部１２の流入口１３から流入した水の圧力によって第１シリンダ部４Ａ内の第１ピストン部１７は前進する。それは、水は空気よりも密度が高いことから第１ピストン部１７を前進させる圧力となることによるものである。そして、第１ピストン部１７が最前進位置まで移動すると、該第１ピストン部１７の閉塞部分１７′が第２シリンダ部４Ｂ内の第２ピストン部２１を押し出し、この閉塞部分１７′が第２シリンダ部４Ｂの開口６内に入り込んでこれを塞ぐ状態となる。これにより第１ピストン部１７内に流入した水は、第１ピストン部１７の閉塞部分１７′に設けられた小さな開口（オリフィス）２０を通してのみしか流出しないことになる。即ち、水の流通量がきわめて制限されることになる。また、上記の如く第１ピストン部１７の押し出しによって第２ピストン部２１が前進すると、その突出部２２に設けられた空気流入口２３は第２シリンダ部４Ｂの開口６外に移動し、該空気流入口２３を通して該第２ピストン部２１内に空気が流入し得る状態となる。そしてまた一方、これと同時に、第２ピストン部２１のフランジ部２４によって閉塞されていた第２シリンダ部４Ｂの空気流入口８も開放され、もって本体部３の外部から多量の空気が第２ピストン部２１内に流入することになる。したがって、第２シリンダ部４Ｂの流出口５から流出する空気と水は、水に比して空気の量を多くすることができるものである。そして、これにより真空ポンプ１１１に吸引される水は微量に制限され、真空ポンプ１１１の過負荷を低減することができるものである。尚、水の流入が無くなると、第１ピストン部１７と第２ピストン部２１は夫々コイルバネ２５、２６の作用によって後退移動方向に押し戻され、図３（ａ）の位置に復帰することになるものである。
【００５１】
そして、斯かる流量制御弁２は、電気を使用することなく真空ポンプ１１１の過負荷を低減することができるものである。したがって、従来の制御回路、電流変換器、電流監視リレー、開閉器等を含む専用真空ポンプ制御盤と電磁弁とからなる多数の電子部品を不要としてコストの軽減を図ることができると共に、真空ポンプ１１１の制御に、外部のスイッチのＯＮ／ＯＦＦで運転／停止する汎用のポンプ制御盤２７を採用することができることから、その分のコストの軽減を図ることもできるようになるものである。
【符号の説明】
【００５２】
１  負圧湿式予作動式スプリンクラー設備
２  流量制御弁
３  本体部
４  シリンダ部
４Ａ  第１シリンダ部
４Ｂ  第２シリンダ部
４Ｂ′  閉塞部分
５  流出口
６  開口
７  壁部
８  空気流入口
１２  カバー部
１２′  閉塞部分
１３  流入口
１７  第１ピストン部
１７′  第１ピストン部の閉塞部分
１８  フランジ部
１９  開口
２０  小さい開口（オリフィス）
２１  第２ピストン部
２２  突出部
２３  空気流入口
２４  フランジ部
２５  コイルバネ
２６  コイルバネ
２７  汎用ポンプ制御盤
【図１】
2019146885.tif 000003
【図２】
2019146885.tif 000004
【図３】
2019146885.tif 000005
【図４】
2019146885.tif 000006
【図５】
2019146885.tif 000007
【手続補正書】
【提出日】平成31年3月25日(2019.3.25)
【手続補正１】
【補正対象書類名】明細書
【補正対象項目名】全文
【補正方法】変更
【補正の内容】
【発明の詳細な説明】
【技術分野】
【０００１】
本発明は、二次側配管内に水が充填され且つ火災発生時以外においては負圧状態とすると共に、気水分離器で分離しきれなかった水が、気水分離器と真空ポンプとをつなぐ吸気管に流入したときにおいて、真空ポンプの過負荷を低減することができるようになした負圧湿式予作動式スプリンクラー設備に関するものである。
【背景技術】
【０００２】
従来における消火設備として、スプリンクラーヘッドの破損等が生じた場合に漏水を防止し、且つ火災発生時に速やかに放水する機能を有する、二次側配管内に水が充填され且つ火災発生時以外においては負圧状態とする負圧湿式予作動式スプリンクラー設備がある。
【０００３】
図４は斯かる負圧湿式予作動式スプリンクラー設備の概略構成図である。該図において１００は負圧湿式予作動式プリンクラー設備である。
【０００４】
１０１は消火水槽１０２から送水ポンプ１０３を介して立ち上がって配管された一次側配管である。１０４は各階において前記一次側配管１０１に接続され、スプリンクラーヘッド１０５まで配管された二次側配管である。
【０００５】
１０６は前記一次側配管１０１と二次側配管１０４との間に設置され、火災発生時以外では閉状態が維持される予作動式流水検知装置である。１０７は各階の天井部に設置された、火災を感知して火災信号を送出する火災感知器である。
【０００６】
１０８は前記二次側配管１０４に一端側１０８Ａを接続すると共に、他端側１０８Ｂを、下端が前記消火水槽１０２まで垂下した排水管１０９に接続した吸引管である。尚、前記排水管１０９には、その下端部に排水ポンプ１０９Ａと逆止弁１０９Ｂが設置されている。
【０００７】
１１０は前記排水管１０９の最上階における上端部に下部を接続した気水分離器である。１１１は真空ポンプ、１１２は一端側を前記気水分離器１１０の上部に接続すると共に他端側を前記真空ポンプ１１１に接続した吸気管である。
【０００８】
１１３は前記吸引管１０８の途中部に設置された、前記二次側配管１０４内の負圧の状態の正常時には少量の、異常時には多量の流通量とするオリフィス自動弁である。また、１１４は前記吸引管１０８の途中部における前記オリフィス自動弁１１３より二次側配管１０４側の位置に設置された二次側配管１０４内の圧力を検出する真空スイッチである。
【０００９】
１１５は火災発生時に前記火災感知器１０７からの火災信号を受信し、後記制御盤に該信号を送信する信号受信盤である。
【００１０】
１１６は各階に配置され、前記信号受信盤１１５からの信号を受信し、前記予作動式流水検知装置１０６を開状態として前記一次側配管１０１と二次側配管１０４とを連通状態とする制御盤である。また、送水ポンプ１０３は、例えば、一次側配管１０１の図示しない減圧センサが減圧を検出すると起動される。
【００１１】
そして、火災発生時以外のときには一次側配管１０１と二次側配管１０４のいずれにも水が充填されており、且つ二次側配管１０４内を、吸引管１０８及び吸気管１１２を介して真空ポンプ１１１で負圧状態とするものである。
【００１２】
また、火災発生時には、火災発生部付近の火災感知器１０７が火災を感知して火災信号を信号受信盤１１５に送信し、そして該信号受信盤１１５から該信号を制御盤１１６に送信する。該信号を受信した制御盤１１６は予作動式流水検知装置１０６を開状態とする。火災による熱で開放されたスプリンクラーヘッドより二次側配管１０４内圧力が減じ、送水ポンプが起動され、これにより、二次側配管は加圧状態となり、前記開放されたスプリンクラーヘッドより放水が開始される。尚、斯かる際には、オリフィス自動弁１１３は正常時の状態であって、真空ポンプ１１１の作動は停止される。
【００１３】
上記の通り、火災発生時以外のときにおける二次側配管１０４の温度変化による体積膨張や流量制御管等からの微少な空気流入等による緩慢な圧力上昇（正常時）については、前記オリフィス自動弁１１３のオリフィス（小孔）を経由して少量の流通量での吸引を行い、そしてこれにより通電して弁体を開くことなく二次側配管１０４内の圧力を適正に保持することができる。
【００１４】
また一方、スプリンクラーヘッド等が破損して二次側配管１０４内の圧力が急速に上昇（異常時）したときには、吸引管１０８に設置された真空スイッチ１１４によってこれが検知され、オリフィス自動弁１１３は通電されてその弁体が開き、開放された本来の流路を経て多量の流通量での吸引が行われる。そして、これにより漏水は防止されるものである。
【００１５】
ところで、斯かる負圧湿式予作動式スプリンクラー設備１００における真空ポンプ１１１は、空気を吸引するための機器であるが、空気と共に多量の水を吸引した場合には、過負荷により定格以上の電流（過電流）が流れ、真空ポンプ１１１が焼損する虞がある。
【００１６】
そして、このような事態を避けるために、吸気管１１２の空気流入側の端部に気水分離器１１０が設置され、空気と水を分離するようになされているが、多量の水が流入すると分離しきれない場合がある。そして、この場合には真空ポンプ１１１に水が流入し、過負荷により過電流となる虞がある。
【００１７】
また、このような場合に備えて従来においては、図５に示す如き機構（図４には不図示。）が設けられている。図５において１１７は真空ポンプ１１１の電流を監視するための専用真空ポンプ制御盤、１１８は制御回路、１１９は電流変換器、１２０は電流監視リレー、１２１は開閉器、１２２は電磁弁、１２３は真空スイッチである。
【００１８】
該機構にあっては、真空ポンプ１１１が多量の水を吸引して過負荷になった後において負荷低減動作が作動するものであり、その動作は、先ず吸気管１１２内に多量の水が流入し、真空ポンプ１１１がこれを吸引すると、該真空ポンプ１１１に過負荷による過電流が発生する。すると専用真空ポンプ制御盤１１７における電流変換器１１９が過電流を検出し、電流監視リレー１２０が作動する。そして、これに伴い制御回路１１８が作動し、電磁弁１２２を開方向に作動させる。これにより真空ポンプ１１１より上流側において吸気管１１２内に空気が流入し、もって吸引流量における水の割合が低減され、該真空ポンプ１１１の過負荷が低減されるものである。
【発明の概要】
【発明が解決しようとする課題】
【００１９】
しかし、斯かる従来の機構は、真空ポンプ１１１の電流を監視して電磁弁１２２を制御するものであるから、制御回路１１８、電流変換器１１９、電流監視リレー１２０、開閉器１２１等を含む専用真空ポンプ制御盤１１７と電磁弁１２２とからなる多数の電子部品が必要であり、コストが高くつくという問題点があった。
【００２０】
本発明は上記の点に鑑みなされたものであって、電気的機構によらずに真空ポンプの過負荷を低減することができるようになし、もって従来の制御回路、電流変換器、電流監視リレー、開閉器等を含む専用真空ポンプ制御盤と電磁弁とからなる多数の電子部品を不要としてコストの軽減を図ることができると共に、真空ポンプの制御に、外部のスイッチのＯＮ／ＯＦＦで運転／停止する汎用のポンプ制御盤を採用することができることから、その分のコストの軽減を図ることもできるようになした構成の負圧湿式予作動式スプリンクラー設備を提供しようとするものである。
【課題を解決するための手段】
【００２１】
而して、本発明の要旨とするところは、予作動式流水検知装置と該予作動式流水検知装置の一次側に設けられ、基端側に給水手段が接続される一次側配管と、
該予作動式流水検知装置の二次側に設けられ、スプリンクラーヘッドが接続された二次側配管と、該二次側配管を負圧とする真空ポンプと、該二次側配管と該真空ポンプを接続する吸引管及び吸気管とを備え、
火災発生時以外のときには前記一次側配管と前記二次側配管のいずれにも水が充填されており、且つ前記二次側配管内を、前記吸引管及び前記吸気管を介して前記真空ポンプで負圧状態とする負圧湿式予作動式スプリンクラー設備において、
前記真空ポンプに接続される前記吸気管の真空ポンプの近傍に、前記吸気管に水が流れ込んだ場合、水の流通量を制御する流量制御弁を設置することを特徴とする負圧湿式予作動式スプリンクラー設備にある。
【００２２】
また、上記構成において、前記流量制御弁は、前記吸気管に水が流れ込んだ場合、流れ込んだ水の圧力が所定の水圧を超えたとき、前記水圧により前記吸気管を自動的に閉止する機構を有し、且つ、前記閉止する機構と連動して、前記吸気管に前記吸気管外部の空気を取り入れる弁を開放する機構を有する構成となしてもよい。
【００２３】
また、上記構成において、前記流量制御弁は、シリンダ部とカバー部とからなる本体部と、該本体部におけるシリンダ部内で移動自在に設けられた、水の圧力により前進する第１ピストン部及び該第１ピストン部の前進移動によって加圧されて前進する第２ピストン部と、前記第１ピストン部と前記第２ピストン部を夫々後退移動方向に付勢するコイルバネとによって構成してなる流量制御弁となしてもよい。
【００２４】
また、上記構成において、前記第１ピストン部が所定の水圧による前進移動により、前記吸気管内の水が閉止されることを特徴とする流量制御弁を有する構成となしてもよい。
【００２５】
また、上記構成において、前記第１ピストン部の前進移動によって加圧されて前進する第２ピストン部の前進移動により、前記吸気管に前記吸気管外部の空気を取り入れる流量制御弁を有する構成となしてもよい。
【００２６】
また、上記構成において、前記流量制御弁における本体部は、中心線を同じくして連設された第１シリンダ部と第２シリンダ部とからなるシリンダ部と、該シリンダ部における第１シリンダ部の一端側に装着されるカバー部とからなり、前記シリンダ部における第１シリンダ部は、その両端部が開放された円筒状をなし、前記シリンダ部における第２シリンダ部は、第１シリンダ部と反対側の端部が閉塞された円筒状をなし、閉塞部分の中心部に流出口を設けると共に、もう一方の開放側の端部近傍に、前記第１シリンダ部の内径より小径で且つ後記第１ピストン部の外径と等しい径の開口を有する壁部を設け、更に後記第２ピストン部の後退位置に対応する部分に、内外方向に貫通する空気流入口を設けてなり、前記カバー部は、一端部が閉塞された円筒状をなし、閉塞部分の中心部に前記流出口と同径の流入口を設けてなり、前記第１シリンダ部内に移動自在に配設される第１ピストン部は、一端部が閉塞された円筒状をなし、他端部に外径が前記第１シリンダ部の内径と等しいフランジ部を形成し、円筒状部分に前記第２シリンダ部の流出口より小さい開口を設けると共に、閉塞部分の中心部に前記円筒状部分の開口より小さい開口を設け、流入する水の圧力によって前記コイルバネの付勢力に抗して最前進位置まで移動することによりその閉塞部分が前記第２シリンダ部の開口内に進入するようになされ、前記第２シリンダ部内に移動自在に配設される第２ピストン部は、両端部が開放された円筒状をなし、一端部に外径が前記第２シリンダ部の内径と等しいフランジ部を形成し、更に一端部に、後退位置において前記第２シリンダ部の開口内に挿入される突出部を設けると共に、該突出部に内外方向に貫通する空気流入口を設け、前記第１ピストン部の移動によって加圧されて前進移動し、その突出部に設けた空気流入口が前記第２シリンダ部の開口外に移動すると共に、そのフランジ部が前記第２シリンダ部の空気流入口を開放するようになされた流量制御弁を有する構成となしてもよい。
【発明の効果】
【００２７】
本発明は上記の如き構成であり、吸気管の途中部における真空ポンプ近傍の位置に、吸気管に水が流れ込んだ場合、水の流通量を制御する流量制御弁を設置してなるものである。これにより、真空ポンプへの吸引流量における水の割合が低減され、もって真空ポンプの過負荷が低減されるものである。そして、斯かる流量制御弁は、電気を使用することなく真空ポンプの過負荷を低減することができるものである。したがって、従来の制御回路、電流変換器、電流監視リレー、開閉器等を含む専用真空ポンプ制御盤と電磁弁とからなる多数の電子部品を不要としてコストの軽減を図ることができると共に、真空ポンプの制御に、外部のスイッチのＯＮ／ＯＦＦで運転／停止する汎用のポンプ制御盤を採用することができることから、その分のコストの軽減を図ることもできるようになるものである。
【図面の簡単な説明】
【００２８】
【図１】本発明の実施形態に係る負圧湿式予作動式スプリンクラー設備の概略構成図である。
【図２】同真空ポンプの水の流入による過負荷を低減する機構の説明図ある。
【図３】同流量制御弁の縦断面図であり、（ａ）は吸気管に水が流入しない状態を示し、（ｂ）は水が流入した状態を示すものである。
【図４】従来の負圧湿式予作動式スプリンクラー設備の概略構成図である。
【図５】従来の真空ポンプの水の流入による過負荷を低減する機構の説明図である。
【発明を実施するための形態】
【００２９】
以下、本発明を実施するための形態について、図面を参照して説明する。
【００３０】
図中、１は本発明の実施形態に係る負圧湿式予作動式スプリンクラー設備である。尚、該負圧湿式予作動式スプリンクラー設備１は、その基本的な構成においては前記図４に示した従来の負圧湿式予作動式スプリンクラー設備と同様であるから、同一の部材には同一の符号を付して説明する。
【００３１】
而して、該負圧湿式予作動式スプリンクラー設備１は、消火水槽１０２から一次側配管の減圧センサが減圧を検出すると起動する送水ポンプ１０３を介して上方に立ち上がって配管された一次側配管１０１と、各階において前記一次側配管１０１に接続され、スプリンクラーヘッド１０５まで配管された二次側配管１０４と、  前記一次側配管１０１と前記二次側配管１０４との間に設置され、火災発生時以外では閉状態が維持される予作動式流水検知装置１０６と、各階の天井部に設置され、火災を感知して火災信号を送出する火災感知器１０７と、前記二次側配管１０４に一端側を接続すると共に、他端側を、下端が前記消火水槽１０２まで垂下した排水管１０９に接続した吸引管１０８と、前記排水管１０９の最上階における上端部に下部を接続した気水分離器１１０と、前記二次側配管１０４内の空気を吸引する真空ポンプ１１１と、  一端側を前記気水分離器１１０の上部に接続すると共に他端側を前記真空ポンプ１１１に接続した吸気管１１２と、前記吸引管１０８の途中部に設置された、前記二次側配管１０４内の負圧の状態の正常時には少量の、異常時には多量の流通量とするオリフィス自動弁１１３と、前記吸引管１０８の途中部における前記オリフィス自動弁１１３より前記二次側配管１０４側の位置に設置された、前記二次側配管１０４内の圧力を検出する真空スイッチ１１４と、火災発生時に前記火災感知器１０７からの火災信号を受信し、後記制御盤に該信号を送信する信号受信盤１１５と、前記信号受信盤１１５からの信号を受信し、前記予作動式流水検知装置１０６を開状態として前記一次側配管１０１と前記二次側配管１０４とを連通状態とする制御盤１１６とからなる負圧湿式予作動式スプリンクラー設備において、前記吸気管１１２の途中部における前記真空ポンプ１１１近傍の位置に、吸気管１１２に水が流れ込んだ場合、水の流通量を制御する流量制御弁２を設置してなるものである。
【００３２】
また、前記流量制御弁２は、図２及び図３に示す如く、気水分離器１１０から吸気管１１２に流入する空気が通過する、後記シリンダ部とカバー部とからなる本体部３と、該本体部３におけるシリンダ部内で移動自在に設けられた、水の圧力により前進する後記第１ピストン部及び該第１ピストン部の移動によって加圧されて前進する後記第２ピストン部と、該第１ピストン部と第２ピストン部を夫々後退移動方向に付勢する後記コイルバネとによって構成される。
【００３３】
また、前記本体部３は、中心線を同じくして連設された第１シリンダ部４Ａと第２シリンダ部４Ｂとからなるシリンダ部４と、該シリンダ４における第１シリンダ部４Ａの一端側に装着される後記カバー部とからなる。
【００３４】
また、前記シリンダ部４における第１シリンダ部４Ａは、その両端部(図３における両端部)が開放された円筒状に形成されている。
【００３５】
また、前記シリンダ部４における第２シリンダ部４Ｂは、その一端部（図３における右端部、即ち前記第１シリンダ部４Ａと反対側の端部）が閉塞された円筒状に形成されており、閉塞部分４Ｂ′の中心部には流出口５を設けていると共に、もう一方の開放側の端部近傍(図３における左側の端部近傍、即ち前記第１シリンダ部４Ａ側の端部近傍)には、中心部に、前記第１シリンダ部４Ａの内径より小径で且つ後記第１ピストン部の外径と等しい径の開口６を有する壁部７を設け、更に後記第２ピストン部の後退位置に対応する部分に、内外方向に貫通する空気流入口８を設けている。
【００３６】
また、前記第１シリンダ部４Ａと第２シリンダ部４Ｂとは、前記第２シリンダ部４Ｂの前記第１シリンダ部４Ａとの接合側の端部の外周面に雄ネジ９を刻設する一方、これに対応して内周面に雌ネジ１０を刻設した第１シリンダ部４Ａを螺合して連設するものである。
【００３７】
また、前記第１シリンダ部４Ａと第２シリンダ部４Ｂとの接合端面にはОリング１１が介装され、これらの間の水密性が保たれている。
【００３８】
また、前記シリンダ部４における第１シリンダ部４Ａの一端側に装着されるカバー部１２は、一端部（図３における左端部）が閉塞された円筒状に形成されており、閉塞部分１２′の中心部には、前記流出口５と同径の流入口１３を設けている。
【００３９】
また、前記カバー部１２は、前記シリンダ部４における第１シリンダ部４Ａの他端側の外周面に刻設した雄ネジ１４に螺合する雌ネジ１５を内周面に刻設し、両者を螺合することによって装着している。
【００４０】
また、前記シリンダ部４における第１シリンダ部４Ａの他端側の端面と前記カバー部１２の閉塞部分１２′との間にはОリング１６が介装され、第１シリンダ部４Ａとカバー部１２との間の水密性が保たれている。
【００４１】
また、前記第１シリンダ部４Ａの内部において互いに中心線が同一軸上になるように配設され、中心線方向に沿って進退移動自在に配設された第１ピストン部１７は、前記カバー部１２の流入口１３から流入する水の圧力により前進移動するものである。また、該第１ピストン部１７は円筒状であって、一端部（図３における右端部）が閉塞１７′されており、他端部（図３における左端部）にはフランジ部１８が形成されている。
【００４２】
該フランジ部１８は、その外径が第１シリンダ部４Ａの内径と等しく設定され、該フランジ部１８の外周面が第１シリンダ部４Ａの内周面に沿って移動することで、第１ピストン部１７の中心線方向に沿った進退移動をガイドしている。
【００４３】
また、前記第１ピストン部１７の円筒状部分には、前記第２シリンダ部４Ｂの流出口５より小さい開口１９が設けられると共に、閉塞部分１７′の中心部には、前記円筒状部分の開口１９より小さい開口（オリフィス）２０が設けられている。
【００４４】
また、前記第２シリンダ部４Ｂの内部において互いに中心線が同一軸上になるように配設され、中心線方向に沿って進退移動自在に配設された第２ピストン部２１は、前記第１ピストン部４Ａの移動によって加圧されて前進移動するものである。また、該第２ピストン部２１は両端部が開放された円筒状であって、一端部（図３における左端部）に、後退位置において前記第２シリンダ部４Ｂの開口６内に挿入される突出部２２を設けると共に、該突出部２２に内外方向に貫通する空気流入口２３を設けている。
【００４５】
また、該第２ピストン部２１は、一端部（図３における左端部）にはフランジ部２４が形成されており、該フランジ部２４は、その外径が前記第２シリンダ部４Ｂの内径と等しく設定され、該フランジ部２４の外周面が第２シリンダ部４Ｂの内周面に沿って移動することで、第２ピストン部２１の中心線に沿った進退移動をガイドしている。
【００４６】
また、２５は前記第１シリンダ部４Ａ内において、第１ピストン部１７を挿入させた状態でそのフランジ部１８に当接し、該第１ピストン部１７をカバー部１２の流入口１３側に押圧付勢しているコイルバネである。これにより、前記第１ピストン部１７は、カバー部１２の流入口１３から水が流入し、その圧力が該コイルバネ２５の付勢力を超えている状態で前進移動が行われることになる。
【００４７】
また、２６は前記第２シリンダ部４Ｂ内において、第２ピストン２１を挿入させた状態でそのフランジ部２４に当接し、該第２ピストン部２１を第１ピストン部１７側に押圧付勢しているコイルバネである。これにより、前記第２ピストン部２１は、第１ピストン部１７の前進移動による圧力が該コイルバネ２６の付勢力を超えている状態で前進移動が行われることになる。
【００４８】
また、図２において、２７は前記真空ポンプ１１１を制御する汎用ポンプ制御盤であり、２８は該汎用ポンプ制御盤２７における制御基板、２９は開閉器である。また、３０は真空スイッチである。
【００４９】
次に、本実施形態の作用について説明する。
吸気管１１２の途中部における真空ポンプ１１１の近傍の位置に設置した流量制御弁２は、次の如く作用する。図３（ａ）に示した吸気管１１２内に水が流入しない状態、即ち、通常時においては、本体部３におけるカバー部１２の流入口１３から流入した空気は、第１シリンダ部４Ａ内の第１ピストン部１７に設けた開口１９と開口（オリフィス）２０を通って該第１ピストン部１７と第１シリンダ部４Ａ及び第２シリンダ部４Ｂとの間の空間に流通し、そして更に第２ピストン部２１を経て第２シリンダ部４Ｂの流出口５から流出する。したがって、真空ポンプ１１１には水の吸引による負荷がかからない。
【００５０】
また、図３（ｂ）に示した吸気管１１２内に水が流入した状態、即ち、異常時においては、本体部３におけるカバー部１２の流入口１３から流入した水の圧力によって第１シリンダ部４Ａ内の第１ピストン部１７は前進する。それは、水は空気よりも密度が高いことから第１ピストン部１７を前進させる圧力となることによるものである。そして、第１ピストン部１７が最前進位置まで移動すると、該第１ピストン部１７の閉塞部分１７′が第２シリンダ部４Ｂ内の第２ピストン部２１を押し出し、この閉塞部分１７′が第２シリンダ部４Ｂの開口６内に入り込んでこれを塞ぐ状態となる。これにより第１ピストン部１７内に流入した水は、第１ピストン部１７の閉塞部分１７′に設けられた小さな開口（オリフィス）２０を通してのみしか流出しないことになる。即ち、水の流通量がきわめて制限されることになる。また、上記の如く第１ピストン部１７の押し出しによって第２ピストン部２１が前進すると、その突出部２２に設けられた空気流入口２３は第２シリンダ部４Ｂの開口６外に移動し、該空気流入口２３を通して該第２ピストン部２１内に空気が流入し得る状態となる。そしてまた一方、これと同時に、第２ピストン部２１のフランジ部２４によって閉塞されていた第２シリンダ部４Ｂの空気流入口８も開放され、もって本体部３の外部から多量の空気が第２ピストン部２１内に流入することになる。したがって、第２シリンダ部４Ｂの流出口５から流出する空気と水は、水に比して空気の量を多くすることができるものである。そして、これにより真空ポンプ１１１に吸引される水は微量に制限され、真空ポンプ１１１の過負荷を低減することができるものである。尚、水の流入が無くなると、第１ピストン部１７と第２ピストン部２１は夫々コイルバネ２５、２６の作用によって後退移動方向に押し戻され、図３（ａ）の位置に復帰することになるものである。
【００５１】
そして、斯かる流量制御弁２は、電気を使用することなく真空ポンプ１１１の過負荷を低減することができるものである。したがって、従来の制御回路、電流変換器、電流監視リレー、開閉器等を含む専用真空ポンプ制御盤と電磁弁とからなる多数の電子部品を不要としてコストの軽減を図ることができると共に、真空ポンプ１１１の制御に、外部のスイッチのＯＮ／ＯＦＦで運転／停止する汎用のポンプ制御盤２７を採用することができることから、その分のコストの軽減を図ることもできるようになるものである。
【符号の説明】
【００５２】
１  負圧湿式予作動式スプリンクラー設備
２  流量制御弁
３  本体部
４  シリンダ部
４Ａ  第１シリンダ部
４Ｂ  第２シリンダ部
４Ｂ′  閉塞部分
５  流出口
６  開口
７  壁部
８  空気流入口
１２  カバー部
１２′  閉塞部分
１３  流入口
１７  第１ピストン部
１７′  第１ピストン部の閉塞部分
１８  フランジ部
１９  開口
２０  小さい開口（オリフィス）
２１  第２ピストン部
２２  突出部
２３  空気流入口
２４  フランジ部
２５  コイルバネ
２６  コイルバネ
２７  汎用ポンプ制御盤
【手続補正２】
【補正対象書類名】特許請求の範囲
【補正対象項目名】全文
【補正方法】変更
【補正の内容】
【特許請求の範囲】
【請求項１】
予作動式流水検知装置と該予作動式流水検知装置の一次側に設けられ、基端側に給水手段が接続される一次側配管と、
該予作動式流水検知装置の二次側に設けられ、スプリンクラーヘッドが接続された二次側配管と、該二次側配管を負圧とする真空ポンプと、該二次側配管と該真空ポンプを接続する吸引管及び吸気管とを備え、
火災発生時以外のときには前記一次側配管と前記二次側配管のいずれにも水が充填されており、且つ前記二次側配管内を、前記吸引管及び前記吸気管を介して前記真空ポンプで負圧状態とする負圧湿式予作動式スプリンクラー設備において、
前記真空ポンプに接続される前記吸気管の真空ポンプの近傍に、前記吸気管に水が流れ込んだ場合、水の流通量を制御する流量制御弁を設置することを特徴とする負圧湿式予作動式スプリンクラー設備。
【請求項２】
前記流量制御弁は、
前記吸気管に水が流れ込んだ場合、流れ込んだ水の圧力が所定の水圧を超えたとき、前記水圧により前記吸気管を自動的に閉止する機構を有し、且つ、前記閉止する機構と連動して、前記吸気管に前記吸気管外部の空気を取り入れる弁を開放する機構を有する請求項１に記載の負圧湿式予作動式スプリンクラー設備。
【請求項３】
前記流量制御弁は、
シリンダ部とカバー部とからなる本体部と、該本体部におけるシリンダ部内で移動自在に設けられた、水の圧力により前進する第１ピストン部及び該第１ピストン部の前進移動によって加圧されて前進する第２ピストン部と、前記第１ピストン部と前記第２ピストン部を夫々後退移動方向に付勢するコイルバネとによって構成される流量制御弁を有する請求項１又は２に記載の負圧湿式予作動式スプリンクラー設備。
【請求項４】
前記第１ピストン部が所定の水圧による前進移動により、前記吸気管内の水が閉止されることを特徴とする流量制御弁を有する請求項１から３のいずれか１項に記載の負圧湿式予作動式スプリンクラー設備。
【請求項５】
前記第１ピストン部の前進移動によって加圧されて前進する第２ピストン部の前進移動により、前記吸気管に前記吸気管外部の空気を取り入れる流量制御弁を有する請求項４に記載の負圧湿式予作動式スプリンクラー設備。
【請求項６】
前記流量制御弁における本体部は、中心線を同じくして連設された第１シリンダ部と第２シリンダ部とからなるシリンダ部と、該シリンダ部における第１シリンダ部の一端側に装着されるカバー部とからなり、前記シリンダ部における第１シリンダ部は、その両端部が開放された円筒状をなし、前記シリンダ部における第２シリンダ部は、第１シリンダ部と反対側の端部が閉塞された円筒状をなし、閉塞部分の中心部に流出口を設けると共に、もう一方の開放側の端部近傍に、前記第１シリンダ部の内径より小径で且つ後記第１ピストン部の外径と等しい径の開口を有する壁部を設け、
更に後記第２ピストン部の後退位置に対応する部分に、内外方向に貫通する空気流入口を設けてなり、前記カバー部は、一端部が閉塞された円筒状をなし、閉塞部分の中心部に前記流出口と同径の流入口を設けてなり、
前記第１シリンダ部内に移動自在に配設される第１ピストン部は、一端部が閉塞された円筒状をなし、他端部に外径が前記第１シリンダ部の内径と等しいフランジ部を形成し、円筒状部分に前記第２シリンダ部の流出口より小さい開口を設けると共に、閉塞部分の中心部に前記円筒状部分の開口より小さい開口を設け、流入する水の圧力によって前記コイルバネの付勢力に抗して最前進位置まで移動することによりその閉塞部分が前記第２シリンダ部の開口内に進入するようになされ、
前記第２シリンダ部内に移動自在に配設される第２ピストン部は、両端部が開放された円筒状をなし、一端部に外径が前記第２シリンダ部の内径と等しいフランジ部を形成し、更に一端部に、後退位置において前記第２シリンダ部の開口内に挿入される突出部を設けると共に、該突出部に内外方向に貫通する空気流入口を設け、前記第１ピストン部の移動によって加圧されて前進移動し、その突出部に設けた空気流入口が前記第２シリンダ部の開口外に移動すると共に、そのフランジ部が前記第２シリンダ部の空気流入口を開放するようになされた流量制御弁を有する請求項１から５のいずれか１項に記載の負圧湿式予作動式スプリンクラー設備。